(57)【要約】【課題】納骨の際の作業負担を軽減した墓を提供する。また、納骨の際の作業負担を軽減した墓において、納骨室への雨水の浸入を更に防止した墓を提供する。【解決手段】内部に納骨室１６が形成され、前面に納骨室１６に通じる開口１５を備えた箱石１と、この箱石の前面に接して配置された花台とを備えている。花台は、前面に四角形ないし台形形状で開口する当該形状断面の空所２７と、当該空所の奥端から背面に貫通する骨壺が通過可能な断面積の貫通部３３と、前記空所の奥端に前方に取出し可能に嵌挿されて前記貫通部を閉鎖している蓋板４と、当該蓋板の前面ないし両側部に設けられた指掛け４７とを備えている。貫通部３３は、断面円形の貫通部とするのが好ましい。【選択図】図１
0003140554.tif 000002
【実用新案登録請求の範囲】
【請求項１】
前面に四角形ないし台形形状で開口する当該形状断面の空所(27)と、当該空所の奥端から背面に貫通する骨壺が通過可能な断面積の貫通部(33)と、前記空所の奥端に前方に取出し可能に嵌挿されて前記貫通部を閉鎖している蓋板(4)と、当該蓋板の前面ないし両側部に設けられた指掛け(47)とを備えている、墓の花台。
【請求項２】
前面に開口する正面視で四角形ないし台形断面の空所(27)と、当該空所の奥端から背面に貫通する前記空所の断面積より小断面積の貫通部(33)と、背面に設けた突部(45)を前記貫通部に前方に取出し可能に嵌挿されて前記空所の奥壁を形成している蓋板(4)と、当該蓋板の両側縁に形成した凹部からなる指掛け(47)とを備えている墓の花台。
【請求項３】
貫通部(33)が断面円形の貫通部である請求項１又は２記載の墓の花台。
【請求項４】
前面に納骨室(16)に通じる開口(15)を備えた箱石(1)と、この箱石の前面に接して配置された請求項１、２又は３記載の花台とを備えた、墓。
【請求項５】
箱石(1)の前面と花台(2)の背面とに、当該箱石の前面開口(15)より大きい面積の凹部(22)とこれに嵌挿される凸部(34)とが形成され、この凸部の上段差面(35)に流水溝(37)が前記箱石の前面又は花台の背面と平行に設けられている、請求項４記載の墓。
【考案の詳細な説明】
【技術分野】
【０００１】
この考案は、納骨作業を容易にした墓の構造に関するものである。
【背景技術】
【０００２】
我が国の墓は、図５に示すように、土台石６、箱石１、上台石７、竿石８などと呼ばれる石材を積み重ねて作られている。現在立てられる墓は、石に凹所を穿つ機械や凹所の内面を研磨する機械の普及により、箱石１を底面から四角く穿って天井を一体に備えた納骨室１６を形成する構造が一般的となっている。箱石１の前面には、納骨室１６に骨を収めるための開口１５が設けられている（特許文献１）。
【０００３】
箱石１は、中央部に上下に貫通する四角い角孔１７を備えた土台石６の上に載置され、この土台石の角孔１７と箱石に穿った凹所１１とにより、土の底面と石の内壁及び天井面とを持った納骨室１６が形成される。土台石６上には、箱石１の前面に接して香炉台ないし花台（以下、花台と総称する。）２が設置される。花台２の背面は一平面となっており、花台２を箱石１の前面に密着させて設置することにより、納骨用の開口１５が閉鎖される。
【０００４】
花台２は、ろうそく立てや線香立てを備えた香炉台２５の両側に花立て２６を一体に設けた構造が一般的である。花台２には、前面に開口する正面視で四角ないし台形断面の奥壁を備えた空所２７を設けて当該空所内にろうそく立てや線香立てを備えたものが普及している。この構造は、ろうそくや線香の火を風雨から守る構造として有効である。この空所２７には、前面に両開き型の扉２８を設けるのが一般的で、扉２８の開閉動作と連動してろうそく立てや線香立てが空所２７から出没する構造を備えたものも提案されている（特許文献２）。
【０００５】
従来構造では、箱石１の前面と花台２の背面は段差や凹凸のない平面で、花台２を箱石１の前面にその背面を密着させて配置することにより、箱石１の前面開口１５を閉鎖している。納骨室１６に骨を納めるときは、花台２をずらし、前面開口１５を通して納骨室１６に骨を納め、花台２を元に戻す。
【０００６】
一方、納骨室１６に雨水が侵入するのを防止する構造として、土台石の角孔１７の周縁部上面に当該角孔１７を囲む突条（周畝）９を一体に削り出して、箱石の凹所１１をこの周畝の外側に嵌合する寸法として、雨水が土台石６と箱石１の境目に侵入しても、周畝９によって当該雨水が納骨室内に流入するのを防止した構造が提供されている。また、角孔１７の周囲の土台石６上面に、角孔１７との間に土台石６の上面と同一高さの周畝を残した状態で周溝を刻設し、この周溝から土台石の底面ないし外周面に連通する通水孔及び通水溝を設けることにより、土台石と箱の間から納骨室に雨水が侵入するのを防止した構造も提案されている（特許文献３）。
【０００７】
なお、箱石１に穿つ凹所１１は、その天井面１２を四角錐ないしドーム形などの中高面とすることにより、納骨室１６の天井面からの結露水の滴下を防止できる。すなわち、納骨室１６の天井面で凝集した結露水は、落下する前に斜面や円弧面に沿って下方に流れ、内壁面に沿って流下するから、納骨室内の骨壷等への結露水の滴下が防止できる。内壁面に沿って土台石上に流下した結露水は、前記周畝により納骨室内への流入が阻止される（特許文献３）。
【特許文献１】特開平９−７８８８６号公報
【特許文献２】特開２００４−２２５２６６号公報
【特許文献３】特開２００６−２１４２６２号公報
【考案の開示】
【考案が解決しようとする課題】
【０００８】
前述したように、従来の墓では、納骨の際に花台２を一旦ずらし、その後元の位置に戻す必要があった。花台２の重さは一律ではないが、２０〜３０ｋｇ程度あり、また石材は角を土台石や箱石などにぶつけると角が欠けてしまう。そのため、花台２の移動は慎重に行わねばならず、納骨の際に花台２を移動するために、石材の扱いに慣れた少なくとも２人の作業者が必要であった。
【０００９】
この考案は、納骨をする際の作業負担を軽減した墓を提供することを課題としている。また、納骨の際の作業負担を軽減した墓において、納骨室への雨水の浸入を更に防止した墓を提供することを課題としている。
【課題を解決するための手段】
【００１０】
この考案は、近時の墓の花台２には、ろうそく立てや線香立てを配置する空所２７が設けられていることに着目して、この花台２の空所２７の奥に箱石１の前面開口１５に連なる貫通部３３を設けることにより、花台の空所２７、貫通部３３及び箱石１の前面開口１５を通して納骨することができるようにし、しかも、花台の空所２７の奥端には貫通部３３を閉鎖しかつ納骨時に手前に取外すことができる蓋板４を嵌装して、常時は花台の空所２７の奥に設けた貫通部３３を当該蓋板で閉鎖することにより、上記課題を解決している。
【００１１】
蓋板４には、手前に引出すときの指掛けを設けておく。この指掛けは、蓋板４の前面両側に凹部４７を設ける態様が簡単で体裁も良い。貫通部３３は、加工が簡単で加工精度も高くできる円形孔とするのが好ましく、下記蓋板の突部４５との嵌め合い公差も小さくできることから、蓋板４の安定な装着と円滑な着脱を実現できる。蓋板４には、その背面に貫通部３３に嵌入される突部４５を設けておき、この突部４５が貫通部３３に嵌挿されることにより蓋板４の倒れが防止される構造とするのが、加工上及び蓋板４の安定上、好ましい。突部４５の厚さａは、蓋板４の厚さｂの１．５倍程度にすれば、蓋板４の倒れを確実に防止できる。
【００１２】
蓋板４は、常時は花台の空所２７の奥にその背面壁３２に接した状態で嵌装しておき、納骨時には蓋板４を取外して、花台の空所２、貫通部３３及び箱石の前面開口１５を通して骨を納骨室１６に入れる。蓋板４を取外すときは、花台の空所２７に設けたろうそく立てや線香立ては予め取外しておく。花台の空所２７の前面に扉２８が設けられているものでは、扉装着部を斜めにして通過させることにより、蓋板４を花台の空所２７の外へ取出すことができる。
【００１３】
あまり好ましい構造ではないが、花台の空所の奥に設ける貫通部３３は、当該空所と同じ断面形状及び寸法のものとすることも可能である。
【００１４】
箱石１の前面と花台２の背面との隙間に侵入した雨水が納骨室１６に入るのを防止するには、箱石の前面開口１５の外側の位置に段差面が形成されるような凹部２２と当該凹部に嵌挿される凸部３４とを、そのいずれか一方を箱石１の前面に設けて他方を花台２の背面に設けるのが良い。凸部３４の上部の段差面３５には、この段差部分まで流入した雨水を両側に流すための流水溝３７を、この凸部３４を設けた箱石１の前面又は花台２の背面と平行に設けておくことで、納骨室１６への雨水の流入を確実に防止できる。
【００１５】
この出願の請求項１の考案に係る墓の花台は、前面に四角形ないし台形形状で開口する当該形状断面の空所２７と、当該空所の奥端から背面に貫通する骨壺が通過可能な断面積の貫通部３３と、前記空所の奥端に前方に取出し可能に嵌挿されて前記貫通部を閉鎖している蓋板４と、当該蓋板の前面ないし両側部に設けられた指掛け４７とを備えていることを特徴とする墓の花台である。
【００１６】
この出願の請求項２の考案に係る墓の花台は、前面に開口する正面視で四角形ないし台形断面の空所２７と、当該空所の奥端から背面に貫通する前記空所の断面積より小断面積の貫通部３３と、背面に設けた突部４５を前記貫通部に前方に取出し可能に嵌挿されて前記空所の奥壁を形成している蓋板４と、当該蓋板の両側縁に形成した凹部からなる指掛け４７とを備えていることを特徴とする墓の花台である。
【００１７】
この出願の請求項３の考案に係る墓の花台は、上記特徴を備えた墓の花台において、貫通部３３が断面円形の貫通部であることを特徴とするものである。
【００１８】
この出願の請求項４の考案に係る墓は、前面に納骨室１６に通じる開口１５を備えた箱石１と、この箱石の前面に接して配置された上記特徴を備えた花台とを備えている墓である。
【００１９】
この出願の請求項５の考案に係る墓は、上記特徴を備えた墓において、箱石１の前面と花台２の背面とに、当該箱石の前面開口１５より大きい面積の凹部２２とこれに嵌挿される凸部３４とが形成され、この凸部の上段差面３５に流水溝３７が前記箱石の前面又は花台の背面と平行に設けられていることを特徴とする墓である。
【考案の効果】
【００２０】
納骨の際には、両開き扉２８を開き、台板３１を花台の空所２７から取出し、更に指掛け４７に指をかけて手前に引くことにより、蓋板４を手前に引出して取外す。この状態で花台の空所２７の奥に設けた貫通部３３が納骨室１６に連通するから、花台の空所２７及びその奥の貫通部３３を通し、更に箱石の前面開口１５を通して納骨室１６に骨を入れる。そして、蓋板４、台板３１を元の位置に戻し、参拝のあと扉２８を閉める。このように、納骨の際に花台を動かす必要がなく、納骨時の作業が非常に容易になる。
【００２１】
また箱石１の前面と花台２の背面とに凹部２２と凸部３４を設けてその凸部の上段差面に流水溝３７を形成した構造によれば、雨水が箱石１と花台２との間の隙間を通って箱石の前面開口１５から納骨室１６に侵入するのを防止することができるという効果がある。
【考案を実施するための最良の形態】
【００２２】
以下、この考案の好ましい実施形態を示す図面を参照して、この考案を説明する。墓の外観は、図５に示した従来構造のものと変わりはない。
【００２３】
箱１には、内部を底面側から四角く穿って納骨室の上部となる凹所１１が形成されている。この凹所の天井面１２は、図１に示されているように、最も高い中央部から四方へ凹曲面となって下がるドーム形である。このドーム形の天井面１２は、円弧面１３によって周囲の内壁面１４に滑らかに連結されている。箱１の前面には、納骨室に骨壷を収めるための四角い開口１５が設けられている。
【００２４】
箱石１を載置する土台石６には、納骨室１６の下部を形成する角孔１７が設けられている。角孔１７の周囲には、周畝９が土台石６と一体に形成されている。この周畝９は、その外側の土台石上面を削り落とすことによって形成されたものである。土台石６の上に箱石１を載せたとき、その凹所１１の内壁面が周畝９の外側に位置する。土台石６は、墓所の地面に敷いた砂利の上かコンクリートの基礎の上に載せられる。
【００２５】
風のある降雨時には、風上側の土台上面に降った雨水が土台石６と箱１との隙間を通って納骨室の方へ流入してくる。しかし、この雨水は、周畝９で阻止され、納骨室内に侵入することはない。
【００２６】
箱石１の前面には、その前面開口１５の外側、すなわち、前面開口１５の上方に上段差面２０を有し、前面開口１５の両外側に側段差面２１を有する凹部２２が形成されている。
【００２７】
花台２は、香炉台２５の両側に花立て２６を一体に備え、香炉台２５部分の前面に深い矩形の空所２７が穿設されている。この空所２７の前面には、両開き扉２８が設けられている。空所２７内には、ろうそく立て２９と線香立てとを上面に設けた台板３１が、空所２７の底面に引出可能に単に置かれた状態で挿入されている。空所２７の背面壁３２には、円形の貫通部３３が穿設されている。この貫通部３３は、箱石の前面開口１５より面積が小さい、骨壺が通過可能な円形断面で、箱石１の前面に花台２を設置したとき、箱石の前面開口１５に連なる位置に設けられている。
【００２８】
空所２７の奥端には、背面に貫通部３３に嵌挿される円形の突部４５を備え、空所２７の内側に嵌挿される前面形状を備えた蓋板４が、嵌装されている。この嵌装状態において、蓋板背面の円形の突部４５は貫通部３３に所定の嵌め合い公差で嵌挿され、蓋板４はこの突部４５と貫通部３３の嵌挿によって保持されている。蓋板４の板厚は約１ｃｍ、突部４５の厚さは約１．５ｃｍである。蓋板４の両側辺には、指掛けとなる凹部４７が設けられている。
【００２９】
花台２の背面には、箱石前面の凹部２２の内側に挿入される凸部３４が形成されている。凸部３４の上段差面３５には、花台の背面と平行な流水溝３７が設けられ、側段差面３６には、この流水溝３７に連なる流下溝３８が形成されている。箱石１の前面と花台２の背面との間に侵入した雨水は、凸部３４の上段差面３５により流下が阻止され、流水溝３７を流れて流下溝３８に沿って土台石６上に流下する。この流下する位置は、土台石６に設けた角孔１７を囲んでいる周畝９の外側なので、流下した雨水が納骨室１６に侵入することはない。
【図面の簡単な説明】
【００３０】
【図１】この考案の墓の箱石と花代と土台石部分の断面側面図
【図２】箱石と土台石を前方から見た斜視図
【図３】花台を背後から見た斜視図
【図４】蓋板を背後から見た斜視図
【図５】墓全体の斜視図
【図６】花台の背面側の一部破壊部分側面図
【符号の説明】
【００３１】
１  箱
２  花台
４  蓋板
６  土台石
７  角台
８  竿石
【図１】
0003140554.tif 000003
【図２】
0003140554.tif 000004
【図３】
0003140554.tif 000005
【図４】
0003140554.tif 000006
【図５】
0003140554.tif 000007
【図６】
0003140554.tif 000008